(57)【要約】【課題】集合包装では積載物の多様性からコンテナー部分とパレット部分は各々の条件に合わせて適当なものを選定しこれを一つの梱包にまとめると言う作業を行ったいるため、多くの時間と手人を必要とする課題がある。【解決手段】本発明はコンテナー部分とパレット部分を一体化したものである。コンテナー部分は段ボールを貼合せた４個の積層ボードからなり下部にはフォークリフトの差込口が設けられている。底面部分は紙管を半分にカットした半円形の桁を数本段ボールに貼合わせて強固な底面ボードを作り、そしてこれら５個のボードを簡単に組立てる様に設計する事で解決した。【選択図】図１
2007045517.tif 000002
【特許請求の範囲】
【請求項１】
段ボールを複数枚貼り合わせた側面ボード４個が、四角形に組み立てられていて、各ボードの側面には各々のボードが直角に組み合わせるための凹凸の切り欠きが設けられていて、底面は円筒紙管を半分にカットした半円形の紙管を桁材として、これを段ボールのシート上に平行に複数本貼り合わせて作られた底面ボードと前記４個の側面ボードからなり、箱状に組み立てられることを特徴とするコンテナーパレット。
【請求項２】
請求項１において、底面の桁材が長方形をした段ボールシートを数枚貼り合わせたボードもしくは、段ボールを何回か折り曲げて長方形に貼り合わせたものを桁材として段ボールシートに複数本貼り合わせて、底面ボードとしたことを特徴とする請求項１のコンテナーパレット。
【請求項３】
対向する二組の側面ボードのうち、どちらか一方の側面ボードの下部には底面ボードの桁材を挿入するための半円形または長方形の挿入口が所定個数あけてあり、また別の対向するボードの下部には、フォークリフトの爪の差込口が設けられていることを特徴とする請求項１のコンテナーパレット。
【請求項４】
対向する２組の側面ボードのうち、どちらか一方の側面ボードの上部に箱の蓋を構成するために蓋の面積の半分の段ボールシートを貼り合わせることを特徴とする請求項１のコンテナーパレット。
【請求項５】
対向する側面ボードのどちらか一方の側面ボードの下部に桁材をのせるための台座を有し、架台上には桁材の形状に合わせて、半円形の切り欠きまたは長方形の切り欠きが設けられ、底面ボードの桁材がこれらの切り欠きと組み合わさる様に作られている事を特徴とするコンテナーパレット。
【請求項６】
対向する側面ボードのどちらか一方の側面ボード一つかまたは両方にボードの中間部分から上方が外側の折れ曲がるように作られていることを特徴とする請求項１のコンテナーパレット
【発明の詳細な説明】
【技術分野】
【００１】本発明は段ボール製コンテナー及び、段ボール製パレットの分野に属する。
【背景技術】
【００２】集合包装を行う場合積載物の寸法や重量の、多様性から段ボールケースとパレットを分けて、それぞれの条件に合うものを選定し、それをバンドやストレッチフィルム等でひとつの梱包に作っているのが現状である。
【発明の開示】
【発明が解決しようとする課題】
【００３】集合包装では積載物の多様性からコンテナーの側面強度や底面強度のほかに何段重ねるのか等によって、梱包条件が大きく変わるため、統一的な梱包が難しく、そのつど積載物にあわせて設計を行い、実施されている問題点もある。また現場ではコンテナーの組み立て、パレットとの結合作業など多くの人手を必要とする問題がある。
【課題を解決するための手段】
【００４】本発明はコンテナーとパレットを一体化構造としたことに加え、コンテナーの側面部材を単純な部材の組み立て構造にし、底面部にはパレットの強固な桁材を用い、筒単に側面部材と結合させることで、コンテナーとパレットが一体化した強度の強い新しいコンテナーの開発に成功した。
【発明の効果】
【００５】本発明は単純な形状をした部材の集合体であるため、機械化、量産化が行いやすいため、コストが安くなり、また設計が各部材の組立作業が簡単でやりやすいよう配慮されているため、トータルコストの低減に役立つものである。
【発明を実施するための最良の形態】
【００６】コンテナーパレットを構成する各部材の数が少なく、形状が単純で、量産化しやすくまた、又各部材の組み立てが容易で且つ強固に組み立てられるよう、設計が配慮されている。
【実施例１】
【００７】コンテナーの側面を構成する４個の部材は強化段ボールを３〜５枚程度貼り合わせてボード状にしたものである。
【実施例２】
【００８】各側面ボード１及び２の側面には四角形に組み立てるための凹凸の切欠き１ａ及び２ａが４〜５箇所設けられている。そして互いの凹凸がかみ合って直角が形成されるようになっている。
【実施例３】
【００９】側面ボード１は下部にフォークリフトの差込口１ｂを有し、側面ボード２は下部に底面ボードの桁材の挿入口２ｂを有し、各々２個のボードからなる。
【実施例４】
【０１０】４個の側面ボードが四角形に組み立てられたままの状態で直角部分が互いに離脱しないために側面カバー３が側面ボード２の外側に貼りわせられる。
側面カバー３の両側には固着板３ａが設けられ直角部分を外側からカバーする形で糊付けされた後、ステッチャー針で固定される。
【実施例５】
【０１１】側面ボード２は上部と下部の二つに分ける事もできる。そして上部と下部は側面カバー３を外側に貼り合わせることにより、１個につながっている。
これにより、側面ボーは外側に折り曲げが可能となり、ボード２の高さが半分程度に低くなり積載物をコンテナーに出し入れする作業が楽に行なわれるようになる。
積載物を収納後は、折れ曲がった側面ボード３ｄは元どおりに直角にセットされ固着板３ａによって固定される。
【実施例６】
【０１２】紙管底面ボード４は円筒形の紙管を半分に割って半円形にカットした紙管桁４ａを段ボールシート上に２〜５本平行にならべたて貼り合わせて作る。紙管桁４ａの長さは側面ボードへの差込分だけシートより長くする。
【実施例７】
【０１３】積層底面ボード５は長方形の段ボールシート３〜５枚張り合わせた積層ボードを段ボールシート上に２〜３枚貼り合わせて作られる。この場合も桁の長さは側面ボードの差込分だけシートより長くする。
【実施例８】
【０１４】通常フォークリフトの差込口を有する、側面ボード１と底面ボードは底面ボードの接合板４ｂまたは５ｂで、二者を結合させ、１ピースにすることができる。こうすれば、現場での作業を一層楽にすることができる。
【実施例９】
【０１５】側面ボードと底面ボードの組み立て作業をより簡単にするために、桁材を側面ボードの挿入口に差し込むことなく、側面ボードの下部に設けられた台座６または７に直接載せる方法もある。この場合台座６の上面には半円形の切欠き６ａが、台座７の上面には長方形の切欠き７ａが設けられ、桁と切り欠きは組み合うように作られている。
【産業上の利用の可能性】
【０１６】本発明は輸出用貨物等で比較的小さい貨物を集合包装する分野で従来段ボールパレットの上に段ボールスリーブで覆い蓋をしている様な梱包形態を行っている広い分野での利用が考えられる。
【図面の簡単な説明】
【０１７】
【図１】コンテナーパレットの全体面である。
【図２】側面ボードフォーク側の図である。
【図３】側面ボード桁側の図である。
【図４】側面ボードカバーで、固着板と蓋つきの図である。
【図５】紙管桁底面ボードの図である。
【図６】積層桁底面ボードの図である。
【図７】紙管桁台座の図である。
【図８】積層桁台座の図である。
【符号の説明】
【０１９】１            側面ボードフォーク側
１ａ          側面ボード凹部分
１ｂ          フォーク差込口
２            側面ボード紙管側
２ａ          側面ボード凸部
２ｂ          紙管桁挿入口
３            側面ボードカバー
３ａ          固着板
３ｂ          半円紙管挿入口
３ｃ          蓋
３ｄ          半折れ側面ボード
４            紙管底面ボード
４ａ          紙管桁
４ｂ          接合板
５            積層底面ボード
５ａ          積層板
５ｂ          接合板
６            紙管台座
６ａ          半円形紙管切り欠き
７            積層台座
７ａ          長方形切り欠き
【図１】
2007045517.tif 000003
【図２】
2007045517.tif 000004
【図３】
2007045517.tif 000005
【図４】
2007045517.tif 000006
【図５】
2007045517.tif 000007
【図６】
2007045517.tif 000008
【図７】
2007045517.tif 000009
【図８】
2007045517.tif 000010